【手続補正書】
【提出日】平成16年7月6日(2004.7.6)
【手続補正１】
【補正対象書類名】明細書
【補正対象項目名】特許請求の範囲
【補正方法】変更
【補正の内容】
【特許請求の範囲】
【請求項１】
正の屈折力を有する対物光学系と、前記対物光学系により形成された像を正立させる複数の反射部を有する像正立光学系と、正立された像を観察者の眼球へ導く接眼光学系とを有し、前記対物光学系または前記接眼光学系中の少なくとも一つのレンズの外形が、光軸に対して非回転対称の形状であり、前記レンズの端面での反射光を遮光する遮光手段を、前記レンズに隣接若しくは空気間隙を空けて設けたことを特徴とする実像式ファインダー光学系。
【請求項２】
正の屈折力を有する対物光学系と、前記対物光学系により形成された像を正立させる複数の反射部材を有する像正立光学系と、前記像正立光学系により正立された像を観察者の眼球へ導く接眼光学系とを有し、前記像正立光学系の最も物体側の反射部における光軸の折り曲げ角が鋭角であり、前記対物光学系中の最も像正立光学系側にあるレンズは、光軸の折り曲げ方向側の端部が除去された形状である実像式ファインダー光学系。
【請求項３】
前記像正立光学系の最も物体側の反射部における光軸折り曲げ角が鋭角であり、前記レンズは対物光学系中の何れかであり且つ光軸の折り曲げ方向の端部が除去された形状である請求項１に記載の実像式ファインダー光学系。
【請求項４】
前記対物光学系中の最も像正立光学系側にあるレンズは、光軸の折り曲げ方向側の端部が切除されている請求項３に記載の実像式ファインダー光学系。
【請求項５】
前記光軸の折り曲げ角度αが４０°＜α＜６５°なる条件を満足する請求項２乃至４の何れかに記載の実像式ファインダー光学系。
【請求項６】
前記遮光手段は前記レンズの面上に配置されている請求項１に記載の実像式ファインダー光学系。
【請求項７】
前記遮光手段は前記レンズの切除された端部側にのみ設けられている請求項１，３，４又は６に記載の実像式ファインダー光学系。
【請求項８】
前記遮光手段を前記レンズの全周縁に設け、前記遮光手段による光束の通過するレンズ中央部の開口形状を光軸から最も近いレンズ端部側を実質上直線としてＤ字形状に構成した請求項１，３，４又は６に記載の実像式ファインダー光学系。
【請求項９】
前記非回転対称形状のレンズの光軸位置から最も離れたレンズ有効面端部までの長さをＲ、前記レンズの光軸位置から最も近いレンズ有効面端部までの長さをＲ'、前記レンズの光軸位置から最も近いレンズ端部から光軸位置に向って前記遮光手段の設けられる長さをＤ、前記レンズの光軸上の厚さをｄとした時、０．１＜Ｄ／Ｒ'＜０．４及び０．４＜ｄ／Ｒ＜１．０なる条件を満足する請求項１，３，４，６乃至８の何れかに記載の実像式ファインダー光学系。
【請求項１０】
前記レンズの切除された端部の端面を前記像正立光学系側ほど光軸に近づくように傾斜させた請求項２，４又は５に記載の実像式ファインダー光学系。
【請求項１１】
前記対物光学系が物体側から順に負の屈折力を有する第１群と、正の屈折力を有する第２群と、正または負の屈折力を有する第３群とを含み、前記第１群、第２群、第３群の各々の間隔を変化させることにより変倍を行う請求項１乃至１０の何れかに記載の実像式ファインダー光学系。
【請求項１２】
前記対物光学系中の最も像正立光学系側のレンズが変倍のために移動する請求項１１に記載の実像式ファインダー光学系。
【請求項１３】
正の屈折力を有する対物光学系と、該対物光学系により形成された像を正立させる複数の反射部を有する像正立光学系と、該像正立光学系により正立された像を観察者の眼球へ導く接眼光学系とを有し、前記対物光学系中の少なくとも１つのレンズは端部の少なくとも一部が切除された非回転対称な外形のレンズであり、該レンズの切除された端部の端面は光軸に対して傾斜せしめられている実像式ファインダー光学系。
【請求項１４】
前記端面を前記対物光学系の中心側ほど光軸に近付くように傾斜させた請求項１３に記載の実像式ファインダー光学系。
【請求項１５】
正の屈折力を有する対物光学系と、該対物光学系により形成された像を正立させる複数の反射面を有する像正立光学系と、正立された像を観察者の眼球へ導く接眼光学系とを有し、前記対物光学系又は前記接眼光学系中の少なくとも１つのレンズが作成時に生じるゲート部を端部に有し、前記ゲート部側の端部に入射する入射光を遮光する遮光手段を前記レンズに隣接または空気間隔のみを空けて設けたことを特徴とする実像式ファインダー光学系。
【請求項１６】
前記遮光手段は前記レンズの面上に配設されている請求項１５に記載の実像式ファインダー光学系。
【請求項１７】
前記遮光手段は前記レンズのゲート部を有する端部側のみに設けられている請求項１５又は１６に記載の実像式ファインダー光学系。
【請求項１８】
前記遮光手段を前記レンズの全周縁部に設け、前記遮光手段による光束の通過するレンズ中央部の開口形状を、ゲート部を有する端部側を実質上直線としたＤ字形状に構成した請求項１５又は１６に記載の実像式ファインダー光学系。
【請求項１９】
ゲート部を有するレンズであって、前記ゲート部側のレンズ端部に遮光手段を設けたことを特徴とするレンズ。
【請求項２０】
ゲート部を有するレンズであって、遮光手段を前記レンズの全周縁部に設け、光速の通過するレンズ中央部の開口形状を、前記ゲート部を有する端部側を実質上直線としたＤ字形状に構成したことを特徴とするレンズ。
【請求項２１】
前記遮光手段が前記レンズの面上に配設されている請求項１９又は２０に記載のレンズ。
【手続補正２】
【補正対象書類名】明細書
【補正対象項目名】０００２
【補正方法】変更
【補正の内容】
【０００２】
【従来技術】
従来より、撮像視野の確認のため実像式ファインダー光学系が用いられている。この実像式ファインダー光学系で発生するフレアを防止するために各種提案がなされている。例えば、特開平９−２１１５４７号公報では、光軸上から瞳がずれた時にファインダー内のレンズ周辺部の強い屈折力により発生するフレアを防止する遮光手段を有している。一方、特開平６−９５２１５号公報では、像正立光学系内で反射しなかった光束による迷光を除去するための遮光手段を有している。
【手続補正３】
【補正対象書類名】明細書
【補正対象項目名】０００７
【補正方法】変更
【補正の内容】
【０００７】
また、請求項３に記載の発明による実像式ファインダー光学系は、前記像正立光学系の最も物体側の反射部における光軸の折り曲げ角が鋭角であり、前記レンズは対物光学系中の何れかであり且つ光軸の折り曲げ方向の端部が除去された形状であることを特徴としている。
また、請求項４に記載の発明による実像式ファインダー光学系は、前記対物光学系中の最も像正立光学系側にあるレンズは、光軸の折り曲げ方向側の端部が切除されていることを特徴としている。
また、請求項５に記載の発明による実像式ファインダー光学系は、前記光軸の折り曲げ角度αが４０°＜α＜６５°なる条件を満足することを特徴としている。
また、請求項６に記載の発明による実像式ファインダー光学系は、前記遮光手段が前記レンズの面上に配置されていることを特徴としている。
また、請求項７に記載の発明による実像式ファインダー光学系は、前記遮光手段が前記レンズの切除された端部側にのみ設けられていることを特徴としている。
また、請求項８に記載の発明による実像式ファインダー光学系は、前記遮光手段を前記レンズの全周縁に設け、前記遮光手段による光束の通過するレンズ中央部の開口形状を光軸から最も近いレンズ端部側を実質上直線としてＤ字形状に構成したことを特徴としている。
また、請求項９に記載の発明による実像式ファインダー光学系は、前記非回転対称形状のレンズの光軸位置から最も離れたレンズ有効面端部までの長さをＲ、前記レンズの光軸位置から最も近いレンズ有効面端部までの長さをＲ'、前記レンズの光軸位置から最も近いレンズ端部から光軸位置に向って前記遮光手段の設けられる長さをＤ、前記レンズの光軸上の厚さをｄとした時、０．１＜Ｄ／Ｒ'＜０．４及び０．４＜ｄ／Ｒ＜１．０なる条件を満足することを特徴としている。
また、請求項１０に記載の発明による実像式ファインダー光学系は、前記レンズの切除された端部の端面を前記像正立光学系側ほど光軸に近づくように傾斜させたことを特徴としている。
また、請求項１１に記載の発明による実像式ファインダー光学系は、前記対物光学系が物体側から順に負の屈折力を有する第１群と、正の屈折力を有する第２群と、正または負の屈折力を有する第３群とを含み、前記第１群、第２群、第３群の各々の間隔を変化させることにより変倍を行うことを特徴としている。
また、請求項１２に記載の発明による実像式ファインダー光学系は、前記対物光学系中の最も像正立光学系側のレンズが変倍のために移動することを特徴としている。
また、請求項１３に記載の発明による実像式ファインダー光学系は、正の屈折力を有する対物光学系と、該対物光学系により形成された像を正立させる複数の反射部を有する像正立光学系と、該像正立光学系により正立された像を観察者の眼球へ導く接眼光学系とを有し、前記対物光学系中の少なくとも１つのレンズは端部の少なくとも一部が切除された非回転対称な外形のレンズであり、該レンズの切除された端部の端面は光軸に対して傾斜せしめられていることを特徴としている。
また、請求項１４に記載の発明による実像式ファインダー光学系は、前記端面を前記対物光学系の中心側ほど光軸に近付くように傾斜させたことを特徴としている。
また、請求項１５に記載の発明による実像式ファインダー光学系は、正の屈折力を有する対物光学系と、該対物光学系により形成された像を正立させる複数の反射面を有する像正立光学系と、正立された像を観察者の眼球へ導く接眼光学系とを有し、前記対物光学系又は前記接眼光学系中の少なくとも１つのレンズが作成時に生じるゲート部を端部に有し、前記ゲート部側の端部に入射する入射光を遮光する遮光手段を前記レンズに隣接または空気間隔のみを空けて設けたことを特徴としている。
また、請求項１６に記載の発明による実像式ファインダー光学系は、前記遮光手段は前記レンズの面上に配設されていることを特徴としている。
また、請求項１７に記載の発明による実像式ファインダー光学系は、前記遮光手段は前記レンズのゲート部を有する端部側のみに設けられていることを特徴としている。
また、請求項１８に記載の発明による実像式ファインダー光学系は、前記遮光手段を前記レンズの全周縁部に設け、前記遮光手段による光束の通過するレンズ中央部の開口形状を、ゲート部を有する端部側を実質上直線としたＤ字形状に構成したことを特徴としている。
また、請求項１９に記載の発明によるレンズは、ゲート部を有するレンズであって、前記ゲート部側のレンズ端部に遮光手段を設けたことを特徴としている。
また、請求項２０に記載の発明によるレンズは、ゲート部を有するレンズであって、遮光手段を前記レンズの全周縁部に設け、光速の通過するレンズ中央部の開口形状を、前記ゲート部を有する端部側を実質上直線としたＤ字形状に構成したことを特徴としている。
更に、請求項２１に記載の発明によるレンズは、前記遮光手段が前記レンズの面上に配設されていることを特徴としている。